(57)【要約】【課題】通過ゲートや普通入賞口等をなす遊技球入賞装置の成形部品にダミーセンサを挿入するときにダミーセンサを前後逆向き挿入することを規制する遊技球入賞装置を提供すること。【解決手段】弾球遊技機の遊技盤９に、遊技球を通過せしめる入球口１０を有する成形部品１を設け、成形部品１にはその後端側から、入球口１０を通過する遊技球を検出する球検出センサ、または該球検出センサに代えてダミーセンサ２を着脱可能に挿入せしめるようになした遊技球入賞装置において、成形部品１には後方へ向けて開口する挿入部１３を設ける。ダミーセンサ２には、その外周より突出してダミーセンサ２を前後方向逆向きに挿入部１３へ挿入しようとしたときに、挿入部１３の挿入口周縁に当接してダミーセンサ２の挿入を規制する規制手段２２を設け、これによりダミーセンサ２の前後逆向の挿入を規制するようにした。【選択図】        図１
2006239044.tif 000002
【特許請求の範囲】
【請求項１】
弾球遊技機の遊技盤に、遊技球を通過せしめる入球口を有する成形部品を設け、該成形部品にはその後端側から、上記入球口を通過する遊技球を検出する球検出センサ、または該球検出センサに代えてダミーセンサを成形部品に着脱可能に挿入せしめるようになした遊技球入賞装置において、
上記成形部品には後方へ向けて開口する挿入部を設け、
上記ダミーセンサには、その外周より突出してダミーセンサを前後方向逆向きに上記挿入部へ挿入しようとしたときに、上記挿入部の挿入口周縁に当接してダミーセンサの挿入を規制する規制手段を設けたことを特徴とする遊技球入賞装置。
【請求項２】
上記規制手段として、上記ダミーセンサの前後方向に沿う後端側の側縁に、横方向に突出してダミーセンサの横幅を上記挿入口の横幅よりも拡大する突起を設けた請求項１に記載の遊技球入賞装置。
【請求項３】
上記成形部品には上記挿入口の片側の側縁に、上記球検出センサまたは上記ダミーセンサを挿入したときに保持するロック手段を備え、
上記ダミーセンサには、正常な方向で上記成形部品の挿入部へ挿入したときに、上記ロック手段に対して反対側となる上記後端側の側縁に上記突起を設けた請求項２に記載の遊技球入賞装置。
【請求項４】
上記成形部品には上記挿入口の片側の側縁の上下中間位置に、上記球検出センサまたは上記ダミーセンサを挿入したときに保持するロック手段を備え、
上記ダミーセンサには上記後端側の両側縁に上記突起を設け、かつ両突起は薄肉状で、上記ダミーセンサを正常な方向で上記成形部品の挿入部へ挿入したときに、上記ロック手段と非接触となる上記両側縁の上部または下部から突出せしめた請求項２に記載の遊技球入賞装置。
【請求項５】
上記規制手段として、上記ダミーセンサの片側の側面に前後方向に延びる突条のガイドリブを設ける一方、上記ガイドリブに対応して、上記挿入部の内周の側面に上記ガイドリブに嵌合するガイド溝を設けた請求項１に記載の遊技球入賞装置。
【請求項６】
上記成形部品には上記挿入口の片側の側縁に、上記球検出センサまたは上記ダミーセンサを挿入したときに保持するロック手段を備え、
上記ダミーセンサには、正常な方向で上記成形部品の挿入部へ挿入したときに、上記ロック手段に対して反対側となる上記側面に上記ガイドリブを設け、これに対応して、上記ロック手段と反対側の上記挿入部の内周側面に上記ガイド溝を設けた請求項５に記載の遊技球入賞装置。
【請求項７】
上記ガイドリブは先細りのテーパー状をなす請求項５または６に記載の遊技球入賞装置。
【請求項８】
上記規制手段として、上記ダミーセンサの両側の側面の非対称位置に、前後方向に沿って延びる突条のガイドリブを設ける一方、上記両ガイドリブに対応して、上記挿入部内周の両側面の非対称位置に上記ガイドリブに嵌合するガイド溝を設けた請求項１に記載の遊技球入賞装置。
【請求項９】
上記成形部品には上記挿入口の片側の側縁の上下中間位置に、上記球検出センサまたは上記ダミーセンサを挿入したときに保持するロック手段を備え、
上記両ガイドリブは薄肉状で、上記ダミーセンサを正常な方向で上記成形部品の挿入部へ挿入したときに、上記ロック手段と非接触となるように上記ダミーセンサの両側面の非対称位置たる上縁および下縁に沿って設けた請求項８に記載の遊技球入賞装置。
【発明の詳細な説明】
【技術分野】
【０００１】
本発明は弾球遊技機の遊技球入賞装置、特に装置本体に着脱可能に内設された球検出センサをダミーセンサと交換可能とした遊技球入賞装置に関する。
【背景技術】
【０００２】
従来、図１２に示すように、弾球遊技機には、遊技盤９の中央に位置する特別画像表示装置９１の左右両側に、一対の遊技球通過ゲート１，１を備え、これら通過ゲート１，１を遊技球が通過することで普通図柄表示装置９２の普通図柄が変動して所定の図柄が表示されると、特別画像表示装置９１の特別画像の変動を開始する始動口たる普通電動役物９３を開くようにしたものがある。
【０００３】
図１３に示すように、遊技球通過ゲート１は着脱可能に球検出センサ４が装着され、球検出センサ４により通過ゲート１を通過する遊技球の有無を検出する。合成樹脂の成形部品からなる通過ゲート１は、後方へ向けて開口するほぼコ字形の枠部１１と、枠部１１の左右両側に張り出す固定板１２とが一体成形され、枠部１１と固定板１２とで囲まれて遊技球が通過可能な入球口１０が構成されている。また、枠部１１の内周には球検出センサ４を装着する挿入部１３が形成され、枠部１１の後端の一方の側には鉤型の係止爪１４が突設されている。
【０００４】
球検出センサ４は前後方向に長方形をなすブロック体で、後端には電線４０が接続されている。前半部には入球口１０に対応して遊技球を通す検出穴４１を備え、遊技球が検出穴４１を通過すると検出信号を出力する。球検出センサ４は通過ゲート１の挿入部１３内へその後方より挿入して、前面を枠部１１前縁内周に当接せしめて後端の一方の隅角を係止爪１４に係止せしめて装着される。
【０００５】
ところで、発射された遊技球は、遊技盤の左上部から盤上へ送りだされ、発射時の勢いが弱めの方が始動口９３や通過ゲート１、他の入賞口９４，９５等への入球率がよい傾向にあることから、打ち出された遊技球は大半が遊技盤の左半部を流下する。これでは右側の通過ゲート１はあまり機能しない。このため右側の通過ゲート１には球検出センサ４を装着しないようにすることがある。この場合、単に球検出センサ４を外すだけでは入球口１０の内側から遊技盤９内が露見して見栄えが悪かったり、入球口１０の内部に遊技球が嵌まってしまい球づまりの原因となる。そこで球検出センサ４の代わりにダミーセンサを取付けることが行われている。
【０００６】
図１４に示すように、ダミーセンサ２は球検出センサ４とほぼ同形、同寸の合成樹脂製のブロック体で、前半部に遊技球を通す開口部２１が形成されている。ダミーセンサ２は球検出センサ４と同様に、通過ゲート１の挿入部１３内へ挿入し係止爪１４に係止せしめて取付られる。
【０００７】
また従来、普通入賞口等でも、通過ゲートと同様、入球口を備えた略袋状の成形部品に、上記入球口に入球した遊技球を検出する球検出センサに代えてダミーセンサを取付けることが行われている（例えば、下記特許文献１参照。）。
【特許文献１】特開平１１−１２３２６０号公報（第１０図，第１２図）
【発明の開示】
【発明が解決しようとする課題】
【０００８】
しかしながら、従来構造では、成形部品からなる通過ゲートや普通入賞口に球検出センサの代わりにダミーセンサを装着するとき、ダミーセンサは長方形のブロック体であり、ダミーセンサには球検出センサのように電線が接続されていないので前後方向逆向きでも挿入でき、組付け作業者が多くの成形部品とダミーセンサとを組付けるうちに誤ってダミーセンサを前後方向逆向きに装着するおそれがあり、前後逆向きに装着すると通過ゲートや普通入賞口の入球口を塞いでしまう。そこで本発明は、通過ゲートや普通入賞口等をなす遊技球入賞装置の成形部品にダミーセンサを挿入するときにダミーセンサを前後逆向き挿入することを規制する遊技球入賞装置を提供することを課題としてなされたものである。
【課題を解決するための手段】
【０００９】
本発明は、弾球遊技機の遊技盤に、遊技球を通過せしめる入球口を有する成形部品を設け、該成形部品にはその後端側から、上記入球口を通過する遊技球を検出する球検出センサ、または該球検出センサに代えてダミーセンサを成形部品に着脱可能に挿入せしめるようになした遊技球入賞装置において、上記成形部品には後方へ向けて開口する挿入部を設け、上記ダミーセンサには、その外周より突出してダミーセンサを前後方向逆向きに上記挿入部へ挿入しようとしたときに、上記挿入部の挿入口周縁に当接してダミーセンサの挿入を規制する規制手段を設ける（請求口１）。規制手段によりダミーセンサの前後方向逆向きでの挿入を規制できる。また、規制手段を上記ダミーセンサ側に設けたので、成形部品への球検出センサの挿入に支障はない。
【００１０】
上記規制手段として、上記ダミーセンサの前後方向に沿う後端側の側縁に、横方向に突出してダミーセンサの横幅を上記挿入口の横幅よりも拡大する突起を設ける（請求項２）。ダミーセンサを前後逆向きに挿入しようとすると、突起が挿入口周縁に当接して挿入を規制する。
【００１１】
上記成形部品には上記挿入口の片側の側縁に、上記球検出センサまたは上記ダミーセンサを挿入したときに保持するロック手段を備え、上記ダミーセンサには、正常な方向で上記成形部品の挿入部へ挿入したときに、上記ロック手段に対して反対側となる上記後端側の側縁に上記突起を設ける（請求項３）。
【００１２】
上記成形部品には上記挿入口の片側の側縁の上下中間位置に、上記球検出センサまたは上記ダミーセンサを挿入したときに保持するロック手段を備え、上記ダミーセンサには上記後端側の左右両側縁に上記突起を設け、かつ両突起は薄肉状で、上記ダミーセンサを正常な方向で上記成形部品の挿入部へ挿入したときに、上記ロック手段と非接触となる上記両側縁の上部または下部から突出せしめる（請求項４）。
【００１３】
上記規制手段として、上記ダミーセンサの片側の側面に前後方向に延びる突条のガイドリブを設ける一方、上記ガイドリブに対応して、上記挿入部の内周の側面に上記ガイドリブに嵌合するガイド溝を設ける（請求項５）。ダミーセンサを前後逆向きに挿入しようとすると、ガイドリブが挿入口周縁に当接して挿入を規制する。
【００１４】
上記成形部品には上記挿入口の片側の側縁に、上記球検出センサまたは上記ダミーセンサを挿入したときに保持するロック手段を備え、上記ダミーセンサには、正常な方向で上記成形部品の挿入部へ挿入したときに、上記ロック手段に対して反対側となる上記側面に上記ガイドリブを設け、これに対応して、上記ロック手段と反対側の上記挿入部の内周側面に上記ガイド溝を設ける（請求項６）。
【００１５】
上記ガイドリブは先細りのテーパー状をなす（請求項７）。
【００１６】
上記規制手段として、上記ダミーセンサの両側の側面の非対称位置に、前後方向に沿って延びる突条のガイドリブを設ける一方、上記両ガイドリブに対応して、上記挿入部内周の両側面の非対称位置に上記ガイドリブに嵌合するガイド溝を設ける（請求項８）。ダミーセンサを前後逆向きに挿入しようとすると、両側のガイドリブが挿入口周縁に当接して挿入を規制する。
【００１７】
上記成形部品には上記挿入口の片側の側縁の上下中間位置に、上記球検出センサまたは上記ダミーセンサを挿入したときに保持するロック手段を備え、上記両ガイドリブは薄肉状で、上記ダミーセンサを正常な方向で上記成形部品の挿入部へ挿入したときに、上記ロック手段と非接触となるように上記ダミーセンサの両側面の非対称位置たる上縁および下縁に沿って設ける（請求項９）。
【発明の効果】
【００１８】
本発明によれば、通過ゲートや普通入賞口等をなす遊技球入賞装置の成形部品へダミーセンサを挿入するときに、規制手段によりダミーセンサを前後方向逆向きに挿入することを防止でき、かつの挿入作業性も向上する。
【発明を実施するための最良の形態】
【００１９】
図１ないし図３に基づい、遊技球入賞装置たる通過ゲートに本発明を適用した第１の実施形態を説明する。図１、図２に示すように、合成樹脂の成形部品からなる通過ゲート１は、縦板状で中央に貫通穴を有する固定板１２と、該固定板１２の貫通穴を前後方向に貫通するように後方へ向けて開口するほぼコ字形の枠部１１とが一体成形してある。これにより、通過ゲート１には、固定板１２とその前面側に突出する枠部１１の前半部とで囲まれ、上下方向に遊技球が通過可能な角形の入球口１０が形成してある。
【００２０】
枠部１１の左右の両側辺部の後端は固定板１２の背面側に突出しており、枠部１１の内周部には、後方より球検出センサまたはダミーセンサを挿入する挿入部１３が形成してある。挿入部１３では、枠部１１の左右の両側辺部が互いに向き合う浅い断面でほぼコ字形に形成してあり、挿入部１３内へ挿入する球検出センサまたはダミーセンサの両側部を摺動案内するとともに保持せしめるレール状をなす。また枠部１１の一方の側辺部後縁には、その上下中間位置から後方へ向けて棒状に突出し、先端に挿入部１３内へ鉤形に張り出す係止爪１４が形成してある。
【００２１】
通過ゲート１は、遊技盤９の前面側より枠部１１の後端を遊技盤９に形成された取付穴に挿入するとともに、上記取付穴の周縁に固定板１２を重ね合わせ、固定板１２の左右のネジ貫通穴を介して複数のネジ部材遊技盤９に締結して設置してある。
【００２２】
ダミーセンサ２は前後方向に長方形をなす合成樹脂のブロック体で、横幅が通過ゲート１の挿入部１３の内径横幅とほぼ同じにしてあり、前後長は、ダミーセンサ２を挿入部１３へ挿入しダミーセンサ２の前面を枠部１１の前辺部内周面に当接せしめた状態で、ダミーセンサ２の一方の後端隅角が係止爪１４に係止されるように、枠部１１の左右の両側辺部の前後長よりも若干長くしてある。
【００２３】
ダミーセンサ２には前半部に、通過ゲート１の入球口１０に対応して、上下方向に遊技球が通過可能な角形の開口部２１が形成してある。またダミーセンサ２の前端部は、左右の隅角をテーパー状に切欠いて前端の横幅が狭くしてあり、通過ゲート１の挿入部１３へのダミーセンサ２の挿入作業性を良好にする。
【００２４】
そして、ダミーセンサ２の後端には、通過ゲート１の係止爪１４の反対側の位置に、挿入部１３への挿入時に前後方向を規制する本発明の規制手段として、ダミーセンサ２の側面後端部から横方向へブロック状に張り出す突起２２が一体成形してあり、これによりダミーセンサ２の後端の横幅が通過ゲート１の挿入部１３の内径横幅よりも拡大してある。尚、突起２２の前後長は、枠１１の側辺部の前後長よりも長いダミーセンサ２の前後長の差長とほぼ同じ長さとしてある。
【００２５】
ダミーセンサ２は、開口部２１を前側とした前向きで、かつ後端の突起２２が通過ゲート１の係止爪１４の反対側の位置する表向きの状態で、通過ゲート１の挿入部１３にその後方から挿入せしめ、ダミーセンサ２の前面を枠部１１の前辺部内周面に当接せしめた状態で、ダミーセンサ２の一方の後端隅角を係止爪１４に係止せしめて装着する。この場合、突起２２は枠部１１の他方の側辺部よりも後方に位置し、挿入の邪魔にならない。また、突起２２はダミーセンサ２の後端隅角を係止爪１４に係止せしめた装着状態で、上記他方の側辺部の後縁に当接せしめるようにすれば、装着時のダミーセンサ２のガタ付きを防止できる。ダミーセンサ２は、装着状態で開口部２１が通過ゲート１の入球口１０と合致して上下方向に遊技球が通過可能となる。
【００２６】
これに対して、ダミーセンサ２は、図３（Ａ）に示すように、前向きで、かつ裏向きの状態（図ではダミーセンサ２の裏面側に黒点のぶち模様をつけた）では、後端の突起２２が係止爪１４側にあるので、突起２２が係止爪１４に当たって挿入が規制されて装着できない。また、図３（Ｂ）（Ｃ）に示すように、ダミーセンサ２は、これを後向きに挿入しようとしても、表向きまたは裏向きのいずれの場合でも、挿入部１３の内径横幅に対して突起２２を含むダミーセンサ２の横幅が広いので、挿入部１３への挿入が規制される。
【００２７】
従って、ダミーセンサ２は、前向きかつ表向きの状態でしか装着することができず、従来構造のように取付作業者が誤って逆向きに取付けることがない。
【００２８】
次に、図４、図５に基づいて、本発明の第２の実施形態を説明する。第２の実施形態の基本構造は第１の実施形態のそれとほぼ同じで、相違点を中心に説明し、図において同一部材は同一符号で表す。本実施形態では、ダミーセンサ挿入時の前後方向を規制する規制手段として、ダミーセンサ２の後端の左右両側位置に、左右両側面の上縁後端からそれぞれ横方向に突出する薄板状の突起２３，２３を一体成形し、左右の両突起２３，２３によりダミーセンサ２後端の横幅を通過ゲート１の挿入部１３の内径横幅よりも拡大してある。尚、両突起２３，３の板厚は、枠部１１の上下厚よりも細くした係止爪１４の上部空間に対応して、挿入時に係止爪１４と干渉しない厚さにしてあり、前後長は、枠部１１の側辺部のよりも長いダミーセンサ２の前後長の差長とほぼ同じ長さとしてある。
【００２９】
このように構成したダミーセンサ２は、後端の左右両側位置に突起２３，２３を形成し、突起２３，２３の薄板状としたので、前向きに挿入すれば、図５（Ａ）（Ｂ）に示すように、表向き、裏向きにかかわらず、突起２３が係止爪１４に干渉することなく挿入し装着でき、第１の実施形態と同様な作用効果が得られる。また、本実施形態では突起２３を左右両側に形成したので、前向きであれば表裏逆向きでも装着でき、前向きかつ表向きでの装着に限定される第１の実施形態に比べて、方向性の限定がゆるく、取付作業性が向上する。
【００３０】
図は省略したが、ダミーセンサ２を前後逆向きに挿入しようとすると、両突起２３，２３が枠部１１の左右の後端縁に当たって挿入が規制される。
【００３１】
次に、図６、図７は本発明の第３の実施形態を示す。第３の実施形態に用いた通過ゲート１およびダミーセンサ２の基本構造は第１の実施形態のそれとほぼ同じで、相違点を中心に説明し、図において同一部材は同一符号で表す。本実施形態のダミーセンサ２には、係止爪１４に対して反対側に位置する他方の側面の上縁に、これに沿って前後方向全長にわたって横方向に突出する肉厚の薄い突条のガイドリブ２４が一体に成形してある。
【００３２】
これに対して通過ゲート１の挿入部１３には、係止爪１４の反対側の内周面に、ダミーセンサ２のガイドリブ２４に対応して、上記内周面の上縁に沿って前後方向に延び、上記ガイドリブ２４を嵌合可能なガイド溝１５が形成してある。ガイド溝１５は固定板１２より前側の前半部では断面凹溝状をなし、固定板１２より後方の後半部ではスリット状に形成してある。
【００３３】
本実施形態のダミーセンサ２は、前向きかつ表向きの状態で、ガイドリブ２４をガイド溝１５に嵌合しつつ、挿入部１３へ挿入して装着される。これに対して、ダミーセンサ２を前後方向逆向きにしたり、裏向きにして挿入しようとすると、ガイドリブ２４が係止爪１４側の位置となり、ガイドリブ２４が枠部１１後端の係止爪１４側の端縁に当たって挿入が規制される。更にダミーセンサ２を前後方向逆向きでかつ裏向きにしても、ガイドリブ２４がダミーセンサ２の下面側の位置となってガイド溝１５へ嵌合ができず、挿入が規制される。尚、上述のガイドリブ２４は肉厚の薄い突条としたが、これに限らず、ガイドリブは、その肉厚がダミーセンサ２の上下厚を越えない範囲内で適宜設定可能である。この場合、ガイド溝も上記ガイドリブに対応した溝幅および深さとする。
【００３４】
図８、図９は第４の実施形態を示す。本実施形態の基本構造は第３の実施形態のそれとほぼ同じで、相違点を中心に説明し、図において同一部材は同一符号で表す。ダミーセンサ２には、係止爪１４に対して反対側に位置する他方の側面に、前後方向に延びるガイドリブ２５が一体に成形してある。ガイドリブ２５は後端から前端に向かって漸次先細りのテーパー状に形成してある。
【００３５】
これに対して通過ゲート１の挿入部１３には、係止爪１４の反対側の内周面に、ダミーセンサ２のガイドリブ２５に対応して、上記内周面の上下中央位置に前後方向に延びるガイド溝１６が形成してある。ガイド溝１６は後端から前端に向けて溝幅が漸次先細りのテーパー状に形成してある。
【００３６】
本実施形態のダミーセンサ２は、前向きかつ表向きの状態で、ガイドリブ２５をガイド溝１６に嵌合しつつ、挿入部１３へ挿入して装着され、第３の実施形態と同様な作用効果を奏する。また、ガイドリブ２５をテーパー状に形成することで、テーパー状でない場合に比べて、ガイド溝１６にガイドリブ２５を嵌合させやすくなり、取付作業性が向上する。
【００３７】
図１０、図１１は第５の実施形態を示し、本実施形態の基本構造は第３の実施形態のそれとほぼ同じとしてある。ダミーセンサ２には、一方の側面（係止爪１４側）の下縁に沿う位置と、他方の側面（係止爪１４の反対側）の上縁に沿う位置にそれぞれ前後方向に延びる突条のガイドリブ２６，２６が一体に成形してある。
【００３８】
通過ゲート１の挿入部１３には、両ガイドリブ２６，２６に対応して、係止爪１４側の内周面の下縁と、係止爪１４の反対側の内周面の上縁にそれぞれガイド溝１７，１７が形成してある。
【００３９】
本実施形態のダミーセンサ２は、前向きかつ表向きの状態で、両ガイドリブ２６，２６を両ガイド溝１７，１７に嵌合しつつ、挿入部１３へ挿入して装着され、第３の実施形態と同様な作用効果を奏する。また、ダミーセンサ２の左右両側面に設けるガイドリブ２６，２６を異なる縁に沿う位置（上縁と下縁）に設けるように構成することで、ダミーセンサ２は裏向きとしても、両ガイドリブ２６，２６の位置が表向きの場合と同じであり、前向きかつ裏向きの状態でも装着でき、第３の実施形態に比べて、挿入方向性の規制がゆるく取付作業性がよい。
【００４０】
尚、上述の実施形態はいずれも例示であって本発明の範囲を限定するものではなく、本発明の範囲には上述の実施形態を様々に変形、変更したものも含まれる。例えば、突起やガイドリブは、ダミーセンサの側面に限らず、表面や裏面に形成し、逆向きに挿入したときに、固定板１２の開口周縁に当てて逆向き挿入を規制するようにしてもよい。また通過ゲートに限らず、球検出センサまたはダミーセンサを着脱可能な普通入賞口等をなす袋状の入球口を備えた成形部品からなる入賞装置に適用してもよい。
【図面の簡単な説明】
【００４１】
【図１】本発明の第１の実施形態の成形部品とダミーセンサの分解斜視図である。
【図２】上記成形部品に上記ダミーセンサを前向きかつ表向きに装着した状態を示す水平断面である。
【図３】図２に対応して、上記成形部品への上記ダミーセンサの挿入が規制された状態を示すもので、図３（Ａ）は上記ダミーセンサが前向きかつ裏向きで規制された状態の断面図、図３（Ｂ）は上記ダミーセンサが後向きかつ表向きで規制された状態の断面図、図３（Ｃ）は上記ダミーセンサが後向きかつ裏向きで規制された状態の断面図である。
【図４】本発明の第２の実施形態の成形部品とダミーセンサの分解斜視図である。
【図５】上記成形部品に上記ダミーセンサを装着した状態を示すもので、図５（Ａ）は上記ダミーセンサが前向きかつ表向きで装着された状態の水平断面、図５（Ｂ）は前向きかつ裏向きで装着された状態のに水平断面である。
【図６】本発明の第３の実施形態の成形部品とダミーセンサの分解斜視図である。
【図７】上記成形部品に上記ダミーセンサを装着した状態を示すもので、図７（Ａ）は平面図、図７（Ｂ）は側面図、図７（Ｃ）は後方から見た後面図である。
【図８】本発明の第４の実施形態に用いるダミーセンサを示すもので、図８（Ａ）は平面図、図８（Ｂ）は側面図である。
【図９】第４の実施形態の成形部品にダミーセンサを装着した状態を示すもので、図９（Ａ）は平面図、図９（Ｂ）は側面図、図９（Ｃ）は図９（Ａ）のIX−IX線に沿う断面図である。
【図１０】本発明の第５の実施形態の成形部品とダミーセンサの分解斜視図である。
【図１１】第５の実施形態の成形部品にダミーセンサを装着した状態を示すもので、図１１（Ａ）は平面図、図１１（Ｂ）は図１１（Ａ）のXI  −XI  線に沿う断面図である。
【図１２】本発明を適用する弾球遊技機の遊技盤を示す正面図である。
【図１３】図１３（Ａ）は従来の成形部品と球検出センサとの分解斜視図、図１３（Ｂ）は上記成形部品に上記球検出センサを装着した状態を示す水平断面である。
【図１４】図１４（Ａ）は従来の成形部品とダミーセンサとの分解斜視図、図１４（Ｂ）は上記成形部品に上記ダミーセンサを前向きかつ表向きに装着した状態を示す水平断面である。
【符号の説明】
【００４２】
１  通過ゲート（成形部品）
１０  入球口
１３  挿入部
１４  係止爪（ロック手段）
１５，１６，１７  ガイド溝
２  ダミーセンサ
２２，２３  突起（規制手段）
２４，２５，２６  ガイドリブ（規制手段）
９  遊技盤
【図１】
2006239044.tif 000003
【図２】
2006239044.tif 000004
【図３】
2006239044.tif 000005
【図４】
2006239044.tif 000006
【図５】
2006239044.tif 000007
【図６】
2006239044.tif 000008
【図７】
2006239044.tif 000009
【図８】
2006239044.tif 000010
【図９】
2006239044.tif 000011
【図１０】
2006239044.tif 000012
【図１１】
2006239044.tif 000013
【図１２】
2006239044.tif 000014
【図１３】
2006239044.tif 000015
【図１４】
2006239044.tif 000016